(57)【特許請求の範囲】
【請求項１】
少なくとも特別図柄表示装置と、特別図柄始動口と、普通図柄表示装置と、普通図柄作動ゲートと、傾斜状に配列された遊技釘群と、前記普通図柄作動ゲートを遊技盤に取り付けるための普通図柄作動ゲートより大きいベース板とが設けられた遊技盤を有するパチンコ遊技機において、
前記傾斜状に配列された遊技釘群は、特別図柄表示装置の下方にあって遊技盤の中央にかけて下り傾斜状に配列され、第１の流路を決定する第１の遊技釘群と第２の流路を決定する第２の遊技釘群とからなり、
前記傾斜状に配列された第１、第２の遊技釘群の途中には、遊技球を落下させ、流路を決定する隙間が設けられ、第１の遊技釘群の隙間の直下には、普通図柄作動ゲートを遊技盤に取り付けるためのベース板が設けられた普通図柄作動ゲートが、遊技球の落下方向に設けられ、
前記ベース板は、前記傾斜状に配列された遊技釘群に沿うように形成されていることを特徴とするパチンコ機。
【発明の詳細な説明】
【０００１】
【発明の属する技術分野】
本発明は、パチンコ機に関し、特に、特別図柄表示装置の大型化に対応したパチンコ機に関する。
【０００２】
【従来の技術】
図３に示すように従来のパチンコ機では、遊技盤の遊技領域１には例えば液晶表示装置を用いた特別図柄表示装置２、遊技釘３、風車４ａ、４ｂ、１４ａ、１４ｂ、近接スイッチが設けられた普通図柄作動ゲート１０ａ、１０ｂ、始動入賞口１１、普通電動役物１２、大入賞口１３、例えば発光ダイオードや７セグメント式の表示手段により構成された普通図柄表示装置１７ａ、１７ｂが設けられている。特別図柄表示装置２の下方には傾斜状に配列された遊技釘群８ａ、８ｂ（●印で図示してある）が設けられていて、遊技球を普通電動役物１２に誘導するようになっている。又、普通図柄作動ゲート１０ａ、１０ｂの後面には、普通図柄作動ゲート１０ａ、１０ｂを遊技盤に取り付けるためのベース板９ａ、９ｂが設けられている。そして、遊技に際しては、前記普通図柄作動ゲート１０ａ、１０ｂが遊技球を検出すると前記普通図柄表示装置１７ａ、１７ｂの普通図柄が所定時間変動し、その普通図柄の停止図柄が所定の当たり図柄のときに前記普通電動役物１２（始動入賞口１１）が開放する。この始動入賞口１１が遊技球を検出すると前記特別図柄表示装置２の特別図柄が所定時間変動し、その特別図柄が所定の大当たり図柄のときに大入賞口１３を所定回数開閉させる等、遊技者に有利な利益状態を発生させるようになっている。
【０００３】
図４は、前記傾斜状に配列された遊技釘群８ａと特別図柄表示装置２及び始動入賞口１１周辺の一部拡大図である。図４に示すように、普通図柄作動ゲート１０ａとそれを遊技盤に取り付けるためのベース板９ａの長手方向は、同じ方向に配置されている。即ち、遊技球が通過する普通図柄作動ゲート１０ａは、遊技盤１に水平な軸Ｘと平行に設けられている。又、普通図柄作動ゲート１０ａを遊技盤に取り付けるためのベース板９ａは、例えば、ほぼ楕円形で、その長軸は前記普通図柄作動ゲート１０ａと同一方向、遊技盤１に水平な軸Ｘと平行に設けられている。即ち、普通図柄作動ゲート１０ａは、前記傾斜状に配列された遊技釘群８ａとΦ１の角度で配置されている。
【０００４】
【発明が解決しようとする課題】
しかし、係るパチンコ機では、以下のような問題点があった。即ち、近年のパチンコ機では遊技が複雑になるにつれて特別図柄表示装置２が大型になっていて、例えば５〜１０インチの液晶ディスプレイが用いられているパチンコ機が一般的となっている。図４に示すように、限られた遊技盤の遊技領域１内では、特別図柄表示装置２が大型になるほど特別図柄表示装置２の下方の遊技盤領域が狭くなる。このために、特別図柄表示装置２の下方のスペース１５、１６が少なくなり、前記始動入賞口１１や大入賞口１３及びその周囲の遊技釘と遊技部品の配置に制限を受ける。一方、図４から明らかなように、前記傾斜状に配列された遊技釘群８ａの下部のスペース１５は、ベース板９ａが傾斜状に配列された遊技釘群８ａとの間でΦ１の角度で配置されているために余分なスペースとなっている。このスペースは、遊技球が通過することのない不要なスペースといえる。係るスペース１５は、無駄な領域であり、遊技盤領域が狭くなっているパチンコ機においては係る無駄な領域を極力少なくすることが望まれている。同様にして、ベース板９ａが水平に配置されているために、ベース板９ａの下にある大入賞口１３とベース板９ａの下部のスペース１６が狭くなってしまっている。ベース板９ａの下にある大入賞口１３とベース板９ａの下部のスペース１６を広くして、有効に遊技領域として使用することが望まれている。
【０００５】
本発明は、係る問題を解決して特別図柄表示装置の大型化に対応してパチンコ機の遊技領域を有効に使用できる入賞装置等の遊技部品を具備したパチンコ機を提供することを目的としてなされたものである。
【０００６】
【課題を解決するための手段】
本発明は上記目的を達成するために請求項１記載のパチンコ機では、少なくとも特別図柄表示装置と、特別図柄始動口と、普通図柄表示装置と、普通図柄作動ゲートと、傾斜状に配列された遊技釘群と、前記普通図柄作動ゲートを遊技盤に取り付けるための普通図柄作動ゲートより大きいベース板とが設けられた遊技盤を有するパチンコ遊技機において、前記傾斜状に配列された遊技釘群は、特別図柄表示装置の下方にあって遊技盤の中央にかけて下り傾斜状に配列され、第１の流路を決定する第１の遊技釘群と第２の流路を決定する第２の遊技釘群とからなり、前記傾斜状に配列された第１、第２の遊技釘群の途中には、遊技球を落下させ、流路を決定する隙間が設けられ、第１の遊技釘群の隙間の直下には、普通図柄作動ゲートを遊技盤に取り付けるためのベース板が設けられた普通図柄作動ゲートが、遊技球の落下方向に設けられ、前記ベース板は、前記傾斜状に配列された遊技釘群に沿うように形成されていることを特徴とする。
【０００９】
【発明の実施の形態】
図１は、本発明の実施の形態における遊技盤の構成図を示す図である。図１において、図３と同一部分については同じ符号を付してその説明を省略する。普通図柄作動ゲート１０ａ、１０ｂの後面には、該普通図柄作動ゲート１０ａ、１０ｂを遊技盤に取り付けるためのベース板１９ａ、１９ｂが後述するように設けられている。
【００１０】
図２は、図１に示した、本発明の実施の形態における前記傾斜状に配列された第１の遊技釘群１８ａ（◎印で図示してある）、第２の遊技釘群７ａ（●印で図示してある）、特別図柄表示装置２及び始動入賞口１１周辺の一部拡大図である。図２に示すように、普通図柄作動ゲート１０ａとそれを遊技盤に取り付けるためのベース板１９ａは、傾斜をもって配置されている。なお、その取付方法は釘などの周知の方法により遊技盤に取り付けられている。又、図２においては、図１に示した遊技盤の左半分の一部について図示してあるが、遊技盤の右半分についても左半分と同様にして実現できるので説明を省略する。
【００１１】
特別図柄表示装置２の左下方には、遊技盤の中央にかけて下り傾斜状に配列されている第１の遊技釘群１８ａが設けられている。第１の遊技釘群１８ａの上方には、遊技盤の中央にかけて下り傾斜状に配列された第２の遊技釘群７ａが設けられている。該第２の遊技釘群７ａの上部には、第２流路５ａが形成されて遊技球を主に始動入賞口１１に誘導するようになっている。又、第１の遊技釘群１８ａと第２の遊技釘群７ａとの間には、第１流路６ａが形成されて遊技球を主に普通電動役物１２（始動入賞口１１）や普通図柄作動ゲート１０ａに誘導するようになっている。
【００１２】
前記傾斜状に配列された第１の遊技釘群１８ａと第２の遊技釘群７ａの途中には、遊技球を落下させる隙間が設けられている。即ち、第２の遊技釘群７ａの途中には、前記第１の遊技釘群１８ａに遊技球を誘導する隙間Ｓ１、Ｓ２が設けられている。係る隙間の数は、これ以外の数であってもよい。又、第１の遊技釘群１８ａの途中には、普通図柄作動ゲート１０ａに遊技球を落下させる隙間Ｓ４が設けられている。係る普通図柄作動ゲート及び隙間の数は、これ以外の数であってもよい。そして、前記隙間Ｓ４の直下には普通図柄作動ゲート１０ａが遊技球の落下方向に設けられている。前記隙間は、直下に普通図柄作動ゲート１０ａが設けられていない、図２に示す隙間Ｓ３を設けてもよい。
【００１３】
前記したように、第１の遊技釘群による第１流下路と第２の遊技釘群による第２流下路が形成され、前記第２流下路を流下する遊技球でも、隙間Ｓ１、Ｓ２を通り第１流下路方向に移動する可能性がある。このために第２流下路を流下する遊技球全てが始動入賞口１１方向に誘導されるのを回避できる。また、始動入賞口１１方向に誘導されずに第１流下路方向に移動した遊技球は、普通図柄作動ゲート１０ａを通過する可能性が残る。
【００１４】
遊技球が通過する普通図柄作動ゲート１０ａは、図２に示すように、遊技盤に水平な軸Ｘとほぼ平行に設けられている。又、普通図柄作動ゲート１０ａが備えられていて、前記普通図柄作動ゲート１０ａを遊技盤に取り付けるための、普通図柄作動ゲートより大きいベース板１９ａは、例えば、ほぼ楕円形である。その長軸は前記遊技盤の中央にかけて下り傾斜状に配列されている前記第１の遊技釘群１８ａとほぼ平行に設けられている。即ち、普通図柄作動ゲート１０ａは、第１の遊技釘群１８ａと第２の遊技釘群７ａ及びベース板１９ａと角度Φ２をなして設けられている。
【００１５】
ここで、発明の理解を容易ならしめるために、ベース板１９ａは、例えば、ほぼ楕円形とした。そして、その長軸が第１の遊技釘群１８ａとほぼ平行に設けられていると説明したが、ベース板１９ａの形状はこれ以外の形状、例えば長方形、正方形であってもよい。横長の長方形の場合には、前記普通図柄作動ゲート１０ａが備えられたベース板１９ａの長手方向が前記傾斜状に配列された第１の遊技釘群１８ａに沿って設けられているように配置する。更には、普通図柄作動ゲート１０ａを通過した遊技球を誘導する通路と一体となったベース板を採用してもよい。
【００１６】
前記ベース板１９ａが前記傾斜状に配列された第１の遊技釘群１８ａに沿うように形成することにより、第１の遊技釘群１８ａとベース板１９ａとの間の、遊技球が通過することのない不要なスペース２０を狭くすることが可能になる。これによって更に前記ベース板１９ａと大入賞口１３との間のスペース２１とその周囲のスペースは大きくなり、これらスペースに配置される大入賞口等の遊技部品における配置設計の自由度が増す。ここに図示していない遊技釘や役物又は表示手段を新たに設けるようにしてもよい。
【００１７】
遊技に際して、第２流路５ａを通る遊技球の一部は、始動入賞口１１方向に誘導され始動入賞口１１に入る。又、第２流路５ａを通る遊技球の一部は、前記第２の遊技釘群７ａの途中に設けられた隙間Ｓ１、Ｓ２を通り第１流路６ａに誘導される。該第１流路６ａに誘導された遊技球の一部は、普通電動役物１２方向に誘導され、普通電動役物１２が開放されている時に普通電動役物１２つまり始動入賞口１１に入る。
【００１８】
又、前記第１流路６ａを通る遊技球の一部は、前記第１の遊技釘群１８ａの途中に設けられた隙間Ｓ４を通る。該隙間Ｓ４の直下には、ベース板１９ａに設けられた普通図柄作動ゲート１０ａが遊技球の落下方向に設けられ、遊技盤に取り付けられている。そして、前記隙間Ｓ４を通った遊技球は、前記普通図柄作動ゲート１０ａを通過する。
【００１９】
前記普通図柄作動ゲート１０ａが遊技球を検出すると、前記図１に図示した普通図柄表示装置１７ａの普通図柄が所定時間変動する。前記普通図柄の停止図柄が所定の当たり図柄のときに前記普通電動役物１２（始動入賞口１１）が開放する。前記第２流路５ａを通る遊技球の一部または、他の流路からの遊技球がこの始動入賞口１１に入賞して始動入賞口１１の入賞が検出されると、前記特別図柄表示装置２の特別図柄が所定時間変動する。前記特別図柄が所定の大当たり図柄のときに大入賞口１３を所定回数開閉させる。
【００２０】
【発明の効果】
請求項１記載のパチンコ機によれば、前記ベース板が前記傾斜状に配列された遊技釘群に沿うように形成することにより、遊技釘群とベース板との間の、遊技球が通過することのない不要なスペースを狭くすることが可能になる。これによって更に前記ベース板と大入賞口との間のスペースとその周囲のスペースは大きくなり、各種遊技部品の配置設計の自由度が増し、特別図柄表示装置の大型化に対応した、パチンコ機の遊技領域を有効に使用できる入賞装置等の遊技部品を具備したパチンコ機を提供することができた。
【００２１】
そして、前記傾斜状に配列された遊技釘群の途中には遊技球を落下させる隙間が設けられ、該隙間の直下には、普通図柄作動ゲートを遊技盤に取り付けるためのベース板が設けられた普通図柄作動ゲートが、遊技球の落下方向に設けられ、前記ベース板は、前記傾斜状に配列された遊技釘群に沿うように形成することにより、遊技釘群とベース板との間の、遊技球が通過することのない不要なスペースを狭くしつつ、遊技性を損なわないパチンコ機を提供することができた。
【００２２】
さらに、遊技釘群とベース板との間の、遊技球が通過することのない不要なスペースを狭くしつつ、第２流下路を流下する遊技球でも、第１流下路方向に移動する可能性を有するようにした。従って、第２流下路を流下する遊技球全てが始動入賞口１１方向に誘導されるのを回避できる。このことにより、第２流下路を流下する遊技球全て特別図柄始動口方向に誘導することを回避できるので、過度に射幸心を煽ることがない。また、第１流下路方向に移動した遊技球は、普通図柄作動ゲートを通過する可能性が残るので、遊技意欲を大きく損ねることはない。これらによって、前記ベース板と大入賞口との間のスペースとその周囲のスペースが大きく、各種遊技部品の配置設計の自由度が増すと共に、遊技者及び遊技店の双方にとって、バランスのとれたパチンコ機を提供することができた。
【００２３】
【図面の簡単な説明】
【図１】本発明の実施の形態における遊技盤の構成図を示す図である。
【図２】本発明の実施の形態における遊技盤の傾斜状に配列された遊技釘と特別図柄表示装置及び始動入賞口周辺の一部拡大図である。
【図３】従来のパチンコ機における遊技盤の構成図である。
【図４】図３の傾斜状に配列された遊技釘と特別図柄表示装置及び始動入賞口周辺の一部拡大図である。
【符号の説明】
１  遊技領域
２  特別図柄表示装置
３  遊技釘
４ａ、４ｂ、１４ａ、１４ｂ  風車
７ａ、７ｂ、８ａ、８ｂ、１８ａ、１８ｂ  遊技釘群
９ａ、９ｂ、１９ａ、１９ｂ  ベース板
１０ａ、１０ｂ  普通図柄作動ゲート
１１  始動入賞口
１２  普通電動役物
１３  大入賞口
１７ａ、１７ｂ  普通図柄表示装置
【図１】
0004656619.tif 000002
【図２】
0004656619.tif 000003
【図３】
0004656619.tif 000004
【図４】
0004656619.tif 000005